(57)【要約】【課題】本発明は、回折構造がその一部に形成してある転写箔であり、特にその一部を構成する回折構造形成層がそこへ回折構造を形成するための回折構造版に対して貼りつきにくい構成となっていることを特徴とする、回折構造を有する転写箔の提供を目的とする。【解決手段】少なくとも基材、剥離層、回折構造形成層、反射層、接着層をこの順で形成してあると共に、反射層に面する回折構造形成層には回折構造となる微細な凹凸が形成してある転写箔において、回折構造形成層には回折構造を賦型するための回折構造版に対して離型性を示す離型剤を含有させる。【選択図】図１
2004258455.tif 000002
【特許請求の範囲】
【請求項１】
少なくとも基材、剥離層、回折構造形成層、反射層、接着層がこの順で形成してあると共に、反射層に面する回折構造形成層には回折構造となる微細な凹凸が形成してある転写箔において、回折構造形成層は回折構造となる微細な凹凸を形成するための回折構造版に対して離型性を示す離型剤を含有していることを特徴とする回折構造を有する転写箔。
【請求項２】
回折構造形成層に含有される離型剤は、離型性を付与する離型セグメントと回折構造形成層からの脱離を防ぐアンカーセグメントからなるブロックコポリマーであることを特徴とする請求項１に記載の回折構造を有する転写箔。
【請求項３】
回折構造形成層に含有される離型剤のアンカーセグメントは、回折構造形成層を構成する他成分もしくは他の離型剤のアンカーセグメントとの化学反応により結合していることを特徴とする請求項２に記載の回折構造を有する転写箔。
【発明の詳細な説明】
【０００１】
【発明の属する技術分野】
本発明は、回折構造をその一部に有する転写箔であり、特にその一部を構成する回折構造形成層がそこへ回折構造を形成するための回折構造版に対して取られにくくなっていると共に、極僅かな負荷によって安定した転写を可能とすることを特徴とする回折構造を有する転写箔に関する。
【０００２】
【従来の技術】
従来、その一部に回折構造を有する転写箔は、例えば、基材に剥離層と回折構造形成層となる薄膜とを順次コーティングした後、前記薄膜に回折構造版を加熱した状態で押し付け、さらに反射層や接着層等を設けることより製造されている。この際、回折構造版から回折構造形成層となる薄膜に加える温度は、回折構造形成層を構成する樹脂の軟化点付近であるため、樹脂にタックが出やすく、回折構造形成層の一部が剥離層と共に剥がれて回折構造版に付着し、回折構造が所定のように形成できないことがよくあった。
【０００３】
このような現象を回避するため、回折構造形成層を電子線硬化樹脂や紫外線硬化樹脂で構成することにより、回折構造版を使用した加熱方式によらずに回折構造を複製する方法を採る場合もあるが（例えば、特許文献１参照。）、回折構造版を使用して加熱方式により回折構造を形成するタイプの転写箔においては、転写性を向上させ、さらに回折構造形成時の版取られの現象の低減化をも可能とする転写箔の開発が強く望まれるようになってきている。
【０００４】
このような転写箔においては、転写しようとする部分の適正な剥離が軽い負荷で可能で、しかもバリの出にくいものが、一般的には性能が良いとされる。しかし、上述したような構成の転写箔、すなわち基材に剥離層と回折構造形成層となる薄膜とを順次コーティングした後、加熱した回折構造版を回折構造形成層となる薄膜に押し付けることにより回折構造形成層が形成される転写箔においては、転写性を向上すべく基材と剥離層との界面における軽剥離化を図ろうとすると、上記の如く、回折構造形成層の一部が回折構造版に付着してしまう、所謂版取られの現象がさらに顕著となり、問題となっていた。
【０００５】
【特許文献１】
特開昭６２−２２２２８２号公報
【０００６】
【問題を解決しようとする課題】
本発明は、以上のような事情に鑑みなされたものであり、回折構造を形成するための回折構造版に対して離型性を示す離型剤を回折構造形成層中に含有させることにより、回折構造の形成に当たっては版取られ現象を起こさず、しかも転写時における軽剥離化をも可能にした、回折構造を有する転写箔を供給することを課題とする。
【０００７】
【課題を解決するための手段】
上記課題を解決するためになされ、請求項１に記載の発明は、少なくとも基材、剥離層、回折構造形成層、反射層、接着層がこの順で形成してあると共に、反射層に面する回折構造形成層には回折構造となる微細な凹凸が形成してある転写箔において、回折構造形成層は回折構造となる微細な凹凸を形成するための回折構造版に対して離型性を示す離型剤を含有していることを特徴とする回折構造を有する転写箔である。
【０００８】
また、請求項２に記載の発明は、請求項１記載の回折構造を有する転写箔において、回折構造形成層に含有される離型剤は、離型性を付与する離型セグメントと回折構造形成層からの脱離を防ぐアンカーセグメントからなるブロックコポリマーであることを特徴とする。
【０００９】
さらにまた、請求項３に記載の発明は、請求項２記載の回折構造を有する転写箔において、回折構造形成層に含有される離型剤のアンカーセグメントが、回折構造形成層を構成する他成分もしくは他の離型剤のアンカーセグメントとの化学反応により結合していることを特徴とする。
【００１０】
【発明の実施の形態】
以下、本発明の実施の形態について図面を参照して説明する。図１は回折構造を有する転写箔の概略の断面構造を示している。
この回折構造を有する転写箔１は、基材２上に剥離層３と回折構造形成層４と反射層５と接着層６とがこの順で積層されてなるものであり、転写時には反射層５と回折構造形成層４と剥離層３の一部とが一体的に剥離し、この順序で被転写体上に接着層６により一体的に接着・固定されるようになっている。回折構造形成層４にはホログラムや回折格子等の回折構造が形成されているので、この回折構造を有する転写箔１を使用した転写により、被転写体上では所望の回折現象が転写部分において観察されるようになっている。
【００１１】
この回折構造を有する転写箔１を構成する基材２としては、ポリエチレンテレフタレート、ポリエチレンナフタレート、またはポリプロピレン等の樹脂フィルム、さらにはこれらの積層体等を用いることができる。この基材２の上には剥離層３を積層するが、転写時の剥離強度を調整するため、剥離層３を形成する面に離型処理を施しておいてもよい。
【００１２】
一方、剥離層３は、転写時においてその一部においてが安定した剥離（転写）がなされると共に、被転写部分の最表面に位置してその表面を保護する機能を有する必要がある。従ってこの剥離層３は、これらの機能を満たす材料、例えばアクリル樹脂、メラミン樹脂、またはスチレン樹脂等を用い、グラビアコーティング、マイクログラビアコーティング、ロールコーティング等の塗工方法や印刷方法等により設ける。
【００１３】
他方、回折構造形成層４は、前述したように、ホログラムや回折格子等の回折構造が形成してある層である。この回折構造は、回折構造形成層となる薄膜に微細な凹凸が形成してある回折構造版を加熱した状態で押しつけて形成されるものである。従って、この回折構造形成層４を構成する材料としては、回折構造版により型取りがしやすく、かつ転写時の熱圧で一旦形成した回折構造が崩れにくい材料で設ける。
これらの要求を満足する材料としては、ウレタン樹脂、メラミン樹脂、ニトロセルロース、または塩酢ビ樹脂等を挙げることができる。
【００１４】
この回折構造形成層４は、このような材料によりなる薄膜を基材２上に形成した後、薄膜をその軟化点付近まで加熱した状態でホログラムや回折格子等の微細な凹凸が形成してある回折構造版を押しつけて得られるものである。
この時、軟化点付近まで加熱した薄膜は、タックが現れはじめ、回折構造版にその一部が貼りつきやすくなる。特に、転写時にあまり負荷をかけずに転写が行えるよう、剥離層の剥離強度を低減させてある転写箔においては、剥離層３と回折構造形成層４とが一緒に基材２側から剥がれてしまい、回折構造版に付着してしまうという不具合を起こしやすくなる。
【００１５】
このような不具合を回避するため、本発明の転写箔においては、その回折構造形成層４に回折構造版に対して離型性を示す離型剤を含有させる。この離型剤としては、フッ素系の樹脂またはオイル、シリーコン系の樹脂またはオイル等が挙げられる。これら離型剤の回折構造形成層における含有割合は、回折構造をプレス成型する際に回折構造版に貼りつかず、しかも回折構造形成層４上に設ける反射層５との密着に影響を与えないように調整する必要がある。
例えば、離型剤としてフッ素系の樹脂またはオイルを採用した場合には、その含有割合を回折構造形成層形成用材料全体に対して０．１〜５％の割合で含有すればよい。
【００１６】
また、回折構造形成層４中の離型剤は、プレス成形加工中に回折構造形成層４から染み出し、回折構造版を汚すことがある。このような現象は、フッ素系、シリコン系等の離型剤が回折構造形成層４と親和性が低い時に生じるものである。
このような現象は、図２に示すように、離型剤２１として、回折構造版に対して離形性を示す離型セグメント２２と回折構造形成層からの脱離を防ぐアンカーセグメント２３とを有するブロックコポリマーを用いることにより改善される。
離型セグメント２２は、フッ素系もしくはシリコン系のポリマーからなるセグメントであり、アンカーセグメント２３は、回折構造形成層４と相溶性が高いポリマーからなる。
【００１７】
このような特性を有する離型剤を含有する回折構造形成層４の構成材料をコーティングする時、図３に示すように、ブロックコポリマーの離型剤２１の離型セグメント２２側は、回折構造形成層２２を構成する材料との親和性が低いため、主に表面側に押しやられるため、効率良く回折構造形成層４表面側の濡れ性を下げることができる。
【００１８】
さらに、アンカーセグメント２３を、回折構造形成層４を構成する他成分と、もしくは他のアンカーセグメント２３と化学反応により結合を起こさせることにより、アンカー効果をより高めることができる。
ここで用いることができる化学反応としては、イソシアネート硬化型やメラミン硬化型の樹脂もしくはこれらを主体とする回折構造形成層構成材料に対する、ＯＨ基を持つアクリルポリオール系、塩酢ビ系、ＮＣ系等のアンカーセグメントによる結合、ＵＶやＥＢ硬化型の樹脂もしくはこれらを主体とする回折構造形成層構成材料に対する、アクリレート基を有するアンカーセグメントによる結合などが利用できる。
【００１９】
このような構成になる回折構造形成層４に形成される回折構造は次のようにして形成される。
例えば、レリーフ型ホログラムは、まず、光学的な撮影方法により微細な凹凸パターンを有するレリーフ型のマスター版を作製し、次に、このマスター版から電気メッキ法により凹凸パターンを複製したニッケル製のプレス版を作製し、そして、このプレス版をホログラムを形成しようとする層上に加熱押圧することにより形成される。
また、回折格子は、微少なエリアに単純な構成の回折格子を複数種類配置して画素とし、グレーティングイメージ、ドットマトリックス（ピクセルグラム等）と呼ばれる画像を表現するものであるが、このような回折格子に対応する微細な凹凸を有するプレス版を用い、上記したレリーフ型ホログラムの形成方法と同様な方法で大量複製される。
【００２０】
一方、反射層５は、金属もしくは高屈折率セラミックスにより形成される層である。金属系の材料としては、アルミニウム、すず、銀、銅、ニッケル、金等の金属の他にインコネル、青銅、アルミ青銅等の合金を用いることができる。また、セラミックス系の材料としては、ＴｉＯ２、ＺｎＳ、Ｆｅ２Ｏ３の等の高屈折率材料を用いることができる。
反射層５は、これらの材料を蒸着、スパッタリング、イオンプレーティング等の薄膜形成方法により、１０ｎｍから１００ｎｍ程度の厚さで回折構造形成層４上に設ければよい。
この反射層５は、回折構造形成層４に対して必ずしも全面に設ける必要はなく、デザインや使用形態等を考慮してその一部に設けてもよい。
【００２１】
さらに、接着層６は、転写の際に、転写箔を構成する反射層５と回折形成構造層４並びに剥離層３の一部とを一体的に被転写体上に転移させた時に固着させるために設ける層であるが、例えば転写時に加えられる熱により粘着性が現れる感熱接着剤を用いて構成すればよい。
この接着層６は、所定の接着剤を用い、グラビアコーティング、マイクログラビアコーティング、ロールコーティング等の塗工方法や印刷方法等により反射層５上に積層して設ければよい。
【００２２】
以上のような構成の、回折構造を有する転写箔を用い、アップダウン式のホットスタンプやロール転写型の転写機により、被転写体上に転写を行うこと、極僅かな負荷で被転写体上に転写を行うことができる。従って、転写部分においては、その一部に有する回折構造に係る回折現象が明瞭に観察することができるようになる。
【００２３】
【実施例】
以下、本発明の実施例を説明する。
まず、厚さが１６μｍのポリエチレンテレフタレートフィルムからなる基材の一方の面に、アクリル系樹脂からなる剥離層をグラビアコーティング法により２μｍの厚さで設け、さらにアクリルポリオールにイソシア硬化剤を加えたアクリル系樹脂をバインダーとし、シリコン系離型セグメントとアクリルポリオール系のアンカーセグメントからなるブロックコポリマーである離型剤を前記バインダーに対して１％の比率となるように含有させてなるコーテイング材料により薄膜を形成した後、エージングをかけて硬化させた。次に、前記工程で得られた積層構成の原反のアクリル樹脂系の薄膜に対して加熱した回折構造版を押し付け、回折構造を付与し、回折構造形成層を得た。回折構造形成層には回折構造版の微細な凹凸模様が忠実に反映されていた。
続いて、回折構造形成層上にアルミニウムからなる反射層を蒸着により厚さ５０ｎｍの厚さで設け、さらにアクリル系の樹脂を主体とする接着剤をグラビアコーティングにより２μｍの厚さで設け、実施例に係る回折構造を形成した転写箔を作成した。
得られた転写箔を使用し、アップダウン式ホットスタンパーにより紙からなる厚さ０．１ｍｍの被転写体に、加熱温度１２０℃、転写時間０．１秒の条件にて転写を行ったところ、被転写体上に快適かつ美麗な転写が行えることができた。
【００２４】
【発明の効果】
以上説明したように、本発明に係る回折構造を有する転写箔は、その一部を構成する回折構造形成層は回折構造となる微細な凹凸を形成するための回折構造版に対して離型性を示す離型剤を含有しているため、熱圧をかけて押圧する回折構造版に層の一部が取られにくくなっていると共に、極僅かな負荷によって安定した転写が可能となり、かつ転写された部分において所期の回折現象を的確に発現しうるものである。
【図面の簡単な説明】
【図１】本発明に係る回折構造を形成した転写箔の概略の構造を示す説明図である。
【図２】回折構造形成層に添加する離型剤の構造を示す説明図である。
【図３】離型層とその上に形成した回折構造形成層における積層関係を模式的に示す説明図である。
【符号の説明】
１・・・回折構造を有する転写箔
２・・・基材
３・・・剥離層
４・・・回折構造形成層
５・・・反射層
６・・・接着層
２１・・離型剤
２２・・離型セグメント
２３・・アンカーセグメント
【図１】
2004258455.tif 000003
【図２】
2004258455.tif 000004
【図３】
2004258455.tif 000005